(57)【特許請求の範囲】
【請求項１】
電気機器の発熱時の匂い物質を選択的に判別して感知し、センサ出力信号を出力する臭気センサと、
電源ケーブルの発熱時の匂い物質を選択的に判別して感知し、センサ出力信号を出力する臭気センサと、
これら臭気センサから出力されたセンサ出力信号をセンサ出力電気信号に変換する変換装置と、
電気機器および電源ケーブルの設置箇所の周辺に配置され、前記センサ出力電気信号が入力されることによって視覚および聴覚で認識し得る形に変えて警報を行わせる警報手段と、
前記設置箇所から離れた箇所に配置され、前記センサ出力電気信号が入力されることによって人に警告情報を伝達する警告装置と、
を備えたことを特徴とする異常臭気感知警告装置。
【請求項２】
請求項１記載の異常臭気感知警告装置において、
前記変換装置から出力されるセンサ出力電気信号を増幅およびＦＭ変調して送信する送信盤と、
前記送信盤から送信された信号を受信，ＦＭ復調して得たセンサ出力電気信号を前記警告装置に出力する受信盤と、
を備えたことを特徴とする異常臭気感知警告装置。
【発明の詳細な説明】
【０００１】
【発明の属する技術分野】
本発明は屋内や屋外に設置される電気機器や電源ケーブルに何らかのトラブルが発生し、これらの発熱時に発生する異常な匂いを臭気センサで検知して、警報や警告を与え、また、臭気センサ側の情報を離れた場所に通報して警報や警告を与えることにより、火災を未然に防ぐための異常臭気感知警告装置に関する。
【０００２】
【従来の技術】
火災発生を検知する従来の方法としては火災発生時の煙や熱を感知することが行われているが、これらは火災発生後の検知であって、起こり得る火災を未然に検知するものとは異なるものである。特に、電気機器や電源ケーブル等の火災未然感知等の対策はほとんどなされていない。
【０００３】
【発明が解決しようとする課題】
このように、現状では火災発生後の対応しか行えない、すなわち火災の消火を行うことがその対応であり、消火活動によってある程度の機器や建物の損失を覚悟せざるを得なかった。従って、この問題を解決するには火災の発生前にその兆候を発見しなければならず、それを行うセンサやこれを使用した機器、及び方法を確立することが課題であった。
【０００４】
本発明は、上記問題点を解決するためになされたもので、電気機器や電源ケーブル等が何らかのトラブルで加熱され、燃焼前の発熱時に発生する匂いを臭気センサで感知し電気信号に変換して、火災発生前に人に警報・警告して未然に火災を防ぎ、しかも簡単な構成で低廉な異常臭気感知警告装置を提供しようとするものである。
【０００５】
【課題を解決するための手段】
上記課題を解決するため請求項１記載の発明は、電気機器の火災発生前の発熱時の匂い物質を選択的に判別して感知し、センサ出力信号を出力する臭気センサと、電源ケーブルの火災発生前の発熱時の匂い物質を選択的に判別して感知し、センサ出力信号を出力する臭気センサと、これら臭気センサから出力されたセンサ出力信号をセンサ出力電気信号に変換する変換装置と、電気機器および電源ケーブルの設置箇所の周辺に配置され、前記センサ出力電気信号が入力されることによって視覚および聴覚で認識し得る形に変えて警報を行わせる警報手段と、前記設置箇所から離れた箇所に配置され、前記センサ出力電気信号が入力されることによって人に警告情報を伝達する警告装置と、を備えたことを特徴とする。
【０００６】
請求項２記載の発明は、請求項１記載の異常臭気感知警告装置において、前記変換装置から出力されるセンサ出力電気信号を増幅およびＦＭ変調して送信する送信盤と、前記送信盤から送信された信号を受信，ＦＭ復調して得たセンサ出力電気信号を前記警告装置に出力する受信盤と、を備えたことを特徴とする。
【０００７】
【発明の実施の形態】
以下、図に沿って本発明の実施形態を説明する。
図１は本発明の第１の実施形態を示す異常臭気感知警告装置のブロック図である。
【０００８】
臭気センサは、特開平０５−２２３７２０号公報、特開平０５−２２３７２２号公報、特開平０５−９９８２７号公報等々に記載されているように、ガス分子が水晶の表面に付着することによる振動数変化を利用したもので、複数の水晶の微小円盤をセンサヘッドとし、匂い物質をこのセンサヘッドに吸着させ、その振動数変化をとらえて匂い物質の種類を判別するものである。
【０００９】
通電によって発熱を伴う電気機器１と電源ケーブル２には、発熱時に発生する匂いの物質を選択的に検知することができる上述のような臭気センサ３と臭気センサ４が各々取り付けられている。
【００１０】
臭気センサ３，４はこれらの出力であるセンサ出力信号３ａ，４ａを電気信号に変換する信号変換装置５に接続されている。この信号変換装置５は、微小な出力のセンサ出力信号３ａ，４ａを電気信号に変換し、一定値まで増幅したセンサ出力電気信号５ａを後段の発報回路６に出力する。
【００１１】
発報回路６に入力されたセンサ出力電気信号５ａは、前記電気機器１、電源ケーブル２の設置されている現場付近に設けられた警報ランプ６ａ、ブザー６ｂといった警報手段を働かせる。
【００１２】
また、これと同時にセンサ出力電気信号５ａは、監視員等が待機している場所（監視員詰所）に設置されている警告装置７に入力される。警告装置７は、音声メッセージ出力部７ａ、アンプ７ｂ及びスピーカ７ｃで構成され、スピーカ７ｃを駆動して監視員等に警告や注意等の音声メッセージを発するためのものである。具体的な音声メッセージ記録媒体には、テープレコーダやＩＣ音源等が考えられる。
【００１３】
電気信号５ａは、先ず音声メッセージ出力部７ａに入力され、あらかじめ記録して設定されている音声メッセージ信号７ｄを読み出して出力するようになっている。この音声メッセージ出力部７ａは、ＲＯＭカード等の交換可能な記憶媒体に特定の音声メッセージを記憶させておき、この記憶媒体を装着することで音声メッセージを読み出すように構成しても良い。
【００１４】
図２は本発明の第２の実施形態を示す異常臭気感知警告装置のブロック図である。
【００１５】
第２実施形態の異常臭気感知警告装置は、臭気センサ３，４が取り付けられた場所から監視員の詰所に信号を無線で送信して、火災発生前の異常を知るシステムである。なお、この実施形態の構成は、第１実施形態に無線送信及び受信の機能を付加したものであるので、付加した部分のみ番号を付け加え、その他の同じものについては同番号とした。
【００１６】
この実施形態の基本的構成は、送信側機器Ａと受信側機器Ｂから成る。送信側機器Ａは、電気機器１、電源ケーブル２と、これに取り付けられている臭気センサ３，４ならびに信号変換装置５、発報回路６と、これに付属しセンサ出力電気信号５ａを送信する送信盤８と、これに設けられた送信アンテナ８ａから構成されている。
受信側機器Ｂは、送信アンテナ８ａから送信された信号を受信する受信アンテナ９ａと電波の受信が可能な受信盤９ならびに警告装置７から成る。
【００１７】
信号変換装置５からセンサ出力電気信号５ａを得るまでは第１実施形態と同様の構成である。センサ出力電気信号５ａを送信側機器Ａから受信側機器Ｂに送信するために、信号変換装置５の出力側に送信盤８を設けてある。この送信盤８には、例えば、入力信号であるセンサ出力信号５ａを増幅しＦＭ変調する回路が組み込まれており、増幅、ＦＭ変調されたセンサ出力電気信号５ａは送信アンテナ８ａによって受信側機器Ｂの受信アンテナ９ａに送信される。
【００１８】
受信側機器Ｂでは、受信アンテナ９ａによって受信されたセンサ出力電気信号５ａが、受信盤９によって同調・ＦＭ復調され、次段の音声メッセージ出力部７ａで音声メッセージ信号７ｄをアンプ７ｂに出力する。これによって増幅された音声メッセージ信号７ｄはスピーカ７ｃを駆動して監視員等に電気機器１や電源ケーブル２の異常を知らせる。
【００１９】
なお、送信側機器Ａの近くと受信側機器Ｂの置かれている監視員詰所に電話を取り付け、通話可能にしても良い。また、本実施形態では臭気センサ３，４の２個を用いているが、複数の他の場所に設置されている電気機器及び電源ケーブルに装着されている多数の臭気センサを信号変換装置５に接続することもできる。
【００２０】
【発明の効果】
以上のように請求項１の発明によれば、電気機器及び電源ケーブル等の発熱時の匂い物質を感知する臭気センサと、その出力を受けて警報と警告を行う警報手段と警告装置を備えたので、火災の発生前にその兆候を知ることができる。
【００２１】
更に、この場合、警告装置の設置場所を電気機器や電源ケーブル等の設置された現場から離れた場所に置くことによって、その場所にいる監視員等が火災発生の兆候を知ることができ、また、前記現場の近くに警報手段を設置することによって、専任の監視員のみならず前記現場近くのオペレータ、管理者等の人間も火災発生の兆候を知ることができ、その発見を容易にすることができる。
これによって、電源を一時的に切る等、火災の発生を未然に防止する対策を実行することができ、消火活動を行う必要はなくなり、消火活動によって発生する機器や建物の損失がなくなる。
【００２２】
次に、請求項２の発明によれば、臭気センサからの信号を送信する送信盤と、送信された信号を受信する受信盤を有しているので、電波の届く範囲内においては警報装置の設置場所を選ばない。従って、配線に伴う費用や工事作業が省略でき、設置のためのコストを低減することができる。
【００２３】
また、異なった場所にある多数の電気機器や電源ケーブルを一カ所で監視できるので監視場所の数の削減や監視要員の人員削減にも効果がある。
【００２４】
更に、装置の構成も比較的簡易であり、安価に提供することができる。
【図面の簡単な説明】
【図１】本発明の第１の実施形態を示す異常臭気感知警告装置のブロック図である。
【図２】本発明の第２の実施形態を示す異常臭気感知警告装置のブロック図である。
【符号の説明】
１  電気機器
２  電源ケーブル
３，４  臭気センサ
３ａ，４ａ  センサ出力信号
５  信号変換装置
５ａ  センサ出力電気信号
６  発報回路
６ａ  警報ランプ
６ｂ  ブザー
７  警告装置
７ａ  音声メッセージ出力部
７ｂ  アンプ
７ｃ  スピーカ
７ｄ  音声メッセージ信号
８  送信盤
８ａ  送信アンテナ
９ａ  受信アンテナ
９  受信盤
Ａ  送信側機器
Ｂ  受信側機器
【図１】
0003539525.tif 000002
【図２】
0003539525.tif 000003